(57)【要約】  本発明は、燃料電池スタックの性能評価装置に関し、より詳しくは、アノードおよびカソードエンドプレートに各々ガイド部およびアーム（Ａｒｍ）が提供されて、シーリング材の収縮により燃料電池スタックの傾きを最小化させる燃料電池スタックの性能評価装置に関する。
2021509521.tif 000002
【特許請求の範囲】
【請求項１】
本体、
燃料電池スタックの上側に位置し、一つ以上の側面にガイド部が提供されるアノードエンドプレート（Ａｎｏｄｅ  Ｅｎｄ  Ｐｌａｔｅ）、
前記燃料電池スタックの他側に位置し、一つ以上の側面にアーム（Ａｒｍ）が提供されるカソードエンドプレート（Ｃａｔｈｏｄｅ  Ｅｎｄ  Ｐｌａｔｅ）、および
前記カソードエンドプレートに面圧を加える面圧モジュール
を含む、燃料電池スタックの性能評価装置。
【請求項２】
前記アームは、
前記ガイド部と対応するように構成され、前記面圧モジュールから加えられる圧力により前記カソードエンドプレートを上下移動させる、請求項１に記載の燃料電池スタックの性能評価装置。
【請求項３】
前記ガイド部およびアームは、
セラミック素材からなる、請求項１または２に記載の燃料電池スタックの性能評価装置。
【請求項４】
前記アノードエンドプレートには、
４つの側面に各々前記ガイド部が位置する、請求項１から３のいずれか一項に記載の燃料電池スタックの性能評価装置。
【請求項５】
前記カソードエンドプレートには、
４つの側面に各々前記アームが位置する、請求項１から４のいずれか一項に記載の燃料電池スタックの性能評価装置。
【請求項６】
前記ガイド部は、
前記燃料電池スタックの水平を合わせるための位置決定部が形成されている、請求項１から５のいずれか一項に記載の燃料電池スタックの性能評価装置。
【請求項７】
前記アームは、
前記ガイド部に沿って移動するホイール、および
前記ホイールと前記カソードエンドプレートとを連結する支持部を含む、請求項１から６のいずれか一項に記載の燃料電池スタックの性能評価装置。
【請求項８】
前記ガイド部は、
前記アームの上下移動をガイドするレールを含む、請求項１から７のいずれか一項に記載の燃料電池スタックの性能評価装置。
【発明の詳細な説明】
【技術分野】
【０００１】
本明細書は２０１８年４月１７日に韓国特許庁に提出された韓国特許出願第１０−２０１８−００４４３１９号に基づいた優先権の利益を主張し、該韓国特許出願の文献に開示された全ての内容は本明細書の一部として含まれる。
【０００２】
本発明は、燃料電池スタックの性能評価装置に関し、より詳しくは、アノードおよびカソードエンドプレートに各々ガイド部およびアーム（Ａｒｍ）が提供されて、シーリング材の収縮により燃料電池スタックの傾きを最小化させる燃料電池スタックの性能評価装置に関する。
【背景技術】
【０００３】
燃料電池（Ｆｕｅｌ  Ｃｅｌｌ）は、酸化によって生じる化学エネルギーを電気エネルギーに直接変換させる電池であり、水素、酸素のように、地球上に豊かに存在する物質から電気エネルギーを発生させるための、環境にやさしい新たな未来型エネルギー技術である。
【０００４】
燃料電池は、空気極（Ｃａｔｈｏｄｅ）に酸素が供給され、燃料極（Ａｎｏｄｅ）に水素が供給されて、水の電気分解とは逆の反応形態で電気化学反応が進行して電気、熱、および水が発生し、公害を誘発することなく高効率で電気エネルギーを生産する。
【０００５】
この時、前記燃料電池は、単一セルから生産される電圧は制限的であるため、セパレータとセルが複数回積層され、両側に前記セパレータおよび燃料電池スタックが積層された構成を支持するためのエンドプレートが備えられてスタック型として用いられる。
【０００６】
このような燃料電池の性能を評価するためには、燃料電池の駆動に大きい影響を及ぼす外部の要素が均一に維持されなければならず、その要素としては、面圧、作動温度、供給ガスの流量および加湿程度が挙げられる。
【０００７】
ところで、燃料電池の性能評価時、一つの要素でも誤差が発生する場合には、評価された燃料電池の性能自体の信頼度が低下するという問題がある。
【０００８】
図１は、従来の燃料電池の特性評価装置を示す図である。燃料電池スタックの性能評価のために高温の環境を提供し、セル、集電体、連結材（ｉｎｔｅｒｃｏｎｎｅｃｔ）などのような燃料電池スタックの各構成間の優れた連結を通じた燃料電池スタックの性能確保のために垂直方向に面圧を印加する。
【０００９】
燃料電池スタックの各構成を接着するシーリング材は高温で流動性を有することにより、面圧が加えられる場合に燃料電池スタックの高さが減少し、この時、内部温度の分布勾配によりシーリング材の収縮が均一に起こらず燃料電池スタックが傾くという問題が発生した。
【００１０】
さらに、燃料電池スタックに印加される荷重が均一に伝達されないため、セルの破損または部分接触不良による燃料電池の性能損失の問題が発生した。
【００１１】
これと関連し、性能の評価時において、高温でシーリング材の収縮を同一にして燃料電池スタックが傾くのを防止できる燃料電池スタックの性能評価装置が必要であるという実情がある。
【発明の概要】
【発明が解決しようとする課題】
【００１２】
本発明は、上述した問題を解決するために導き出されたものであり、本発明の目的は、アノードおよびカソードエンドプレートの一面に着脱結合されて上下移動が可能なガイド部およびアームを提供して燃料電池スタックが傾くのを防止する燃料電池スタックの性能評価装置を提供することにある。
【課題を解決するための手段】
【００１３】
本発明の一実施形態による燃料電池スタックの性能評価装置は、本体、燃料電池スタックの上側に位置し、一つ以上の側面にガイド部が提供されるアノードエンドプレート（Ａｎｏｄｅ  Ｅｎｄ  Ｐｌａｔｅ）、前記燃料電池スタックの他側に位置し、一つ以上の側面にアーム（Ａｒｍ）が提供されるカソードエンドプレート（Ｃａｔｈｏｄｅ  Ｅｎｄ  Ｐｌａｔｅ）、および前記カソードエンドプレートに面圧を加える面圧モジュールを含むことを特徴とする、
【００１４】
一つの実施形態において、前記アームは、前記ガイド部と対応するように構成され、前記面圧モジュールから加えられる圧力により前記カソードエンドプレートを上下移動させることを特徴とする。
【００１５】
一つの実施形態において、前記ガイド部およびアームは、セラミック素材からなることを特徴とする。
【００１６】
一つの実施形態において、前記アノードエンドプレートには、４つの側面に各々前記ガイド部が提供されることを特徴とする。
【００１７】
一つの実施形態において、前記カソードエンドプレートには、４つの側面に各々前記アームが提供されることを特徴とする。
【００１８】
一つの実施形態において、前記ガイド部は、前記燃料電池スタックの水平を合わせるための位置決定部が形成されていることを特徴とする。
【００１９】
一つの実施形態において、前記アームは、前記ガイド部に沿って移動するホイール、および前記ホイールと前記カソードエンドプレートとを連結する支持部を含むことを特徴とする。
【００２０】
一つの実施形態において、前記ガイド部は、前記アームの上下移動をガイドするレールを含むことを特徴とする。
【発明の効果】
【００２１】
本発明によれば、アノードおよびカソードエンドプレートに提供されるガイド部およびアームを介して燃料電池スタックのシーリング材の収縮を同一にして燃料電池スタックの傾きを最小化することによって、燃料電池スタックに印加される荷重を均一にしてセルの破損あるいは接触不良を防止するという効果が発生する。
【図面の簡単な説明】
【００２２】
【図１】従来の燃料電池の特性評価装置を示す図である。
【図２】本発明の一実施形態による燃料電池スタックの性能評価装置の斜視図である。
【図３】本発明の一実施形態による面圧印加装置の断面図である。
【図４】本発明の一実施形態によるアノードおよびカソードエンドプレートの平面図である。
【発明を実施するための形態】
【００２３】
本発明を添付図面を参照して詳細に説明すれば以下のとおりである。ここで、繰り返される説明、本発明の要旨を不要に濁す恐れのある公知の機能及び構成に関する詳細な説明は省略する。本発明の実施形態は当業界で平均的な知識を有する者に本発明をより完全に説明するために提供されるものである。よって、図面での要素の形状及び大きさなどはより明確な説明のために誇張されることがある。
【００２４】
明細書の全体にわたって、ある部分がある構成要素を「含む」とする時、これは、特に反する記載がない限り、他の構成要素を除くものではなく、他の構成要素をさらに含んでもよいことを意味する。
【００２５】
以下では本発明の理解を助けるために好ましい実施形態を提示する。但し、下記の実施形態は本発明をより容易に理解するために提供されるものに過ぎず、本実施形態によって本発明の内容が限定されるものではない。
【００２６】
＜燃料電池スタックの性能評価装置＞
図２は、本発明の一実施形態による燃料電池スタックの性能評価装置の斜視図であり、図３は、本発明の一実施形態による面圧印加装置２０の断面図であり、図４は、本発明の一実施形態によるアノードおよびカソードエンドプレート２１、２２の平面図である。
【００２７】
本発明に係る燃料電池スタックの性能評価装置は、本体１０および面圧印加装置２０を含むことができる。面圧印加装置２０は、本体１０の内部に位置するものであり、アノードエンドプレート（Ａｎｏｄｅ  Ｅｎｄ  Ｐｌａｔｅ）２１、カソードエンドプレート（Ｃａｔｈｏｄｅ  Ｅｎｄ  Ｐｌａｔｅ）２２および面圧モジュール２３を含むことができる。
【００２８】
本体１０は、内部に面圧印加装置２０を含むことができ、上部には後述する面圧モジュール２３を駆動させるための油圧シリンダーが位置する。油圧シリンダーは、外部から圧縮空気の供給を受け、連結した面圧伝達棒（図示せず）を往復移動させることができる。したがって、油圧シリンダーによる圧力が面圧伝達棒を経て面圧モジュール２３に伝達されて燃料電池スタックを垂直方向に圧縮することができる。
【００２９】
アノードおよびカソードエンドプレート２１、２２は、燃料電池スタックの一側および他側に位置し、燃料電池スタックに均一な面圧が維持されるように燃料電池スタックの各構成を支持する役割をする。この時、燃料電池スタックは、アノード（Ａｎｏｄｅ）、カソード（Ｃａｔｈｏｄｅ）、電解質およびシーリング材を含み、シーリング材は高温で流動性を有する性質の材料からなる。
【００３０】
アノードエンドプレート２１は一面にガイド部２１ａが位置し、カソードエンドプレート２２は一面にアーム（Ａｒｍ）２２ａが位置する。ガイド部２１ａとアーム２２ａとは結合されることができ、アーム２２ａは燃料電池スタック内のシーリング材の収縮によりガイド部２１ａの長さ方向に沿って上下運動が可能である。
【００３１】
一つの実施形態において、ガイド部２１ａはアノードエンドプレート２１の４つの側面に各々提供され、また、アーム２２ａはカソードエンドプレート２２の４つの側面に各々提供されることができる。
【００３２】
他の実施形態において、ガイド部２１ａとアーム２２ａは、アノードおよびカソードエンドプレート２１、２２の複数のエッジに各々提供されることができる。
【００３３】
すなわち、ガイド部２１ａとアーム２２ａは、各々、燃料電池スタックに結合されるアノードおよびカソードエンドプレート２１、２２の同一な位置に提供されることができる。同一な位置に提供されるガイド部２１ａおよびアーム２２ａは着脱可能に結合することができる。
【００３４】
そして、ガイド部２１ａにはガイドレール（図示せず）が形成されることができ、アーム２２ａはガイドレールに沿って移動可能なホイール（Ｗｈｅｅｌ）および前記ホイールとカソードエンドプレート２２とを連結する支持棒を含むことができる。したがって、カソードエンドプレート２２が燃料電池スタックと組み立てられる時、ホイールはガイドレールと結合されて外部圧力によりガイドレールに沿って移動することができる。
【００３５】
または、アーム２２ａは、ガイド部２１ａと結合されるリング、およびリングとカソードエンドプレート２２とを連結する支持棒を含むことができる。
【００３６】
この時、ガイド部２１ａまたはガイドレールには、位置決定部（図示せず）が形成されることができる。位置決定部はカソードエンドプレート２２に提供される複数のアームの位置を決定する構成であり、位置決定部はカソードエンドプレート２２の４つの側面に各々位置したアームを同じ位置に位置させてカソードエンドプレート２２の水平を合わせることができる。
【００３７】
一つの実施形態において、カソードエンドプレート２２の右側面、左側面および上側面に位置したアーム２２ａが同じ高さに形成された位置決定部に位置し、カソードエンドプレート２２の下側面に位置したアーム２２ａは異なる高さに位置する場合、下側面に位置したアームが同じ高さの位置決定部に達する前まで、位置決定部は右側面、左側面および上側面に位置したアーム２２ａの位置を固定することができる。
【００３８】
本発明に係るガイド部２１ａおよびアーム２２ａは、セラミック素材からなることができる。したがって、燃料電池スタック、アノードおよびカソードエンドプレート２１、２２の積層体を高温で前処理する場合、ガイド部２１ａおよびアーム２２ａは収縮あるいは変形しないという効果が発生する。
【００３９】
面圧モジュール２３は、カソードエンドプレート２２に面圧を加える構成であり、カソードエンドプレート２２と面圧伝達棒との間に位置し、面圧伝達棒の往復移動によって燃料電池スタックに圧力を印加することができる。
【００４０】
＜燃料電池スタックの面圧印加方法＞
本発明に係る燃料電池スタックの面圧印加方法は、アノード（Ａｎｏｄｅ）、電解質およびカソード（Ｃａｔｈｏｄｅ）を順に積層して燃料電池スタックを製造した後、本体内部に位置したカソードエンドプレートに据え置くステップ、燃料電池スタックのカソードの一側にカソードエンドプレートを積層するステップ、本体の温度を昇温させるステップ、および面圧モジュールを用いてカソードエンドプレートに面圧を加えるステップを含む。
【００４１】
カソードエンドプレートを据え置くステップは、カソードエンドプレートの一面に提供されたアームとアノードエンドプレートの一面に提供されたガイド部とを結合するステップを含むことができる。
【００４２】
本体の温度を昇温させるステップおよび面圧を加えるステップは、複数のアームが同じ位置に位置するまで位置決定部に固定されることができる。より詳しくは、本体の温度を昇温させるステップおよび面圧を加えるステップは、燃料電池スタックの駆動のために本体の内部温度を昇温させ、温度が増加するにつれて燃料電池スタックに含まれたシーリング材が収縮するようになるステップである。
【００４３】
この時、収縮したシーリング材によって燃料電池スタックの高さが減少し、本体の内部温度の分布勾配によりシーリング材の収縮が均一に起こらず、燃料電池スタックの高さが均一に減少しない。したがって、複数のアームは、同じ高さの位置決定部に固定されるまで上下移動をしない。
【００４４】
さらに、アームが異なる高さの位置決定部に位置する場合、面圧モジュールは、カソードエンドプレートに加えられる面圧に勾配をおいて、複数のアームが同じ高さの位置決定部に位置するようにすることができる。
【００４５】
そして、ガイド部およびアームがセラミック素材からなることによって、燃料電池スタックの作動のために本体が高温（８６０℃以下）に昇温しても収縮のような変形が生じないという効果が発生する。
【００４６】
以上、本発明の好ましい実施形態を参照して説明したが、該技術分野の熟練した当業者であれば、下記の特許請求の範囲に記載された本発明の思想および領域から逸脱しない範囲内で本発明を多様に修正および変更できることを理解することができるであろう。
【図１】
2021509521.tif 000003
【図２】
2021509521.tif 000004
【図３】
2021509521.tif 000005
【図４（ａ）】
2021509521.tif 000006
【図４（ｂ）】
2021509521.tif 000007
【国際調査報告】
2021509521.tif 000008
2021509521.tif 000009
2021509521.tif 000010
2021509521.tif 000011